(57)【要約】      （修正有）【課題】製造コストの低減を図ることが可能な外壁構造を提供する。【解決手段】ユニット建物の外壁の外面を形成する外面材と、その内側に配置された構造面材との間に胴縁が介在されて、外面材と構造面材との間に空気流通路６０が形成され、胴縁は、上下方向に延在され、水平方向に間隔Ｌを空けて配置された複数の縦胴縁５３を備え、空気流通路６０が、縦胴縁５３に沿って上下方向に延在された外壁構造であって、縦胴縁５３が、上側部材５３ａと下側部材５３ｂとに上下に分割され、かつ、上側部材５３ａに防腐処理が施されることなく下側部材５３ｂに防腐処理が施されている外壁構造とした。【選択図】図４
2019183508.tif 000002
【特許請求の範囲】
【請求項１】
建物の外壁の外面を形成する外面材と、その内側に配置された構造面材との間に胴縁が介在されて、前記外面材と前記構造面材との間に空気流通路が形成され、
前記胴縁は、上下方向に延在され、水平方向に間隔を空けて配置された複数の縦胴縁を備え、前記空気流通路が、前記縦胴縁に沿って上下方向に延在された外壁構造であって、
前記縦胴縁が、上側部材と下側部材とに上下に分割され、かつ、前記上側部材に防腐処理が施されることなく前記下側部材に防腐処理が施されている外壁構造。
【請求項２】
請求項１に記載の外壁構造において、
前記縦胴縁は、前記建物の地上から所定の高さの範囲内に設定された防腐領域と、前記所定の高さ以上に設定された非防腐領域とに跨って設けられ、
前記下側部材は、前記防腐領域内に設けられ、前記上側部材は、前記非防腐領域に設けられている外壁構造。
【請求項３】
請求項１または請求項２に記載の外壁構造において、
前記胴縁は、前記構造面材の下縁に沿って配置された壁下胴縁を備え、
前記壁下胴縁は、前記縦胴縁と共通の部材により形成されているとともに、前記防腐処理が施されている外壁構造。
【請求項４】
請求項１〜請求項３のいずれか１項に記載の外壁構造において、
前記外壁は、外壁パネルにより形成され、
前記外壁パネルは、枠構造の壁枠組に前記構造面材が固定され、前記構造面材に前記胴縁が固定され、前記胴縁に前記外面材が固定されて形成されている外壁構造。
【発明の詳細な説明】
【技術分野】
【０００１】
本開示は、建物の外壁構造に関する。
【背景技術】
【０００２】
従来、断熱性能と壁内通気性能を確保するための空気流通路を有する建物の外壁構造が知られている（例えば、特許文献１参照）。
この従来の外壁構造は、壁パネルの外側部分に、相対的に室内側に位置する第１の外面材と、相対的に室外側に位置する第２の外面材とによる二重壁を有する。そして、第１の外面材と第２の外面材との間に複数の胴縁が設けられ、胴縁どうしの間に空気流通路が形成されている。
【０００３】
また、胴縁としては、壁パネルの下端部に沿って延在された壁下胴縁と、壁パネルの上端部に沿って延在された壁上胴縁と、壁下胴縁と壁上胴縁との間で、上下方向に延在され、水平方向に所定の間隔を有して複数並設された縦胴縁と、が設けられている。したがって、水平方向で縦胴縁どうしの間には、上下方向に延在される空気流通路を有する。そして、壁下胴縁は、空気流通路と壁パネルの下側に位置する屋外空間とを連通する連通路が複数形成されている。よって、壁パネルは、空気流通路により空気層が形成されるため、断熱性を有し、かつ、この空気流通路の空気は、連通路を介して換気されるため、通気性能を確保できる。
【先行技術文献】
【特許文献】
【０００４】
【特許文献１】特開２００６−８９９５２号公報
【発明の概要】
【発明が解決しようとする課題】
【０００５】
ところで、木製の壁パネルは、防腐や虫害防止のために、地面から所定の高さまで防腐処理を行う必要がある。
このため、木製の胴縁に対しても、防腐処理を行う必要があり、縦胴縁は、それぞれ、上下方向に１本の部材で形成されていたため、防腐処理を全長に亘って行っていた。
しかしながら、このように縦胴縁の全長に亘って防腐処理を行う場合、地面から所定の高さを越える部分については無駄に防腐処理を行うことになり、その分、製造コストを多く要していた。
【０００６】
本開示の外壁構造は、上記問題に着目したもので、製造コストの低減を図ることが可能な外壁構造を提供することにある。
【課題を解決するための手段】
【０００７】
本開示の外壁構造は、
建物の外壁の外面を形成する外面材と、その内側に配置された構造面材との間に胴縁が介在されて、前記外面材と前記構造面材との間に空気流通路が形成され、
前記胴縁は、上下方向に延在され、水平方向に間隔を空けて配置された複数の縦胴縁を備え、前記空気流通路が、前記縦胴縁に沿って上下方向に延在された外壁構造であって、
前記縦胴縁が、上側部材と下側部材とに上下に分割され、かつ、前記上側部材に防腐処理が施されることなく前記下側部材に防腐処理が施されている。
【発明の効果】
【０００８】
本開示の外壁構造では、縦胴縁の上側部材に防腐処理を施さないようにしたため、その分、製造コストの低減が可能となる。
【図面の簡単な説明】
【０００９】
【図１】本開示の実施の形態１の外壁構造が適用されたユニット建物を簡略的に示す斜視図である。
【図２】本開示の実施の形態の外壁構造の要部を示す断面図であって、図１のＳ２−Ｓ２線に沿って切断した状態を示す。
【図３】本開示の実施の形態の外壁構造の要部を示す断面図であって、図１のＳ３−Ｓ３線に沿って切断した状態を示す。
【図４】本開示の実施の形態の外壁構造を適用した壁パネルにおいて、外面材４０を取り除いた状態を示す正面図である。
【図５】図４に示す状態の壁パネルの下端部を示す斜視図である。
【図６Ａ】本開示の実施の形態の外壁構造における胴縁の取付手順の説明図であって、墨打ち作業の説明図である。
【図６Ｂ】本開示の実施の形態の外壁構造における胴縁の取付手順の説明図であって、胴縁５０のうち外壁パネルＰａの端縁部に配置されるものの固定作業の説明図である。
【図６Ｃ】本開示の実施の形態の外壁構造における胴縁の取付手順の説明図であって、縦胴縁５３のうち外壁パネルＰａの端縁部以外に配置されるものの固定作業の説明図である。
【図６Ｄ】本開示の実施の形態の外壁構造における胴縁の取付手順の説明図であって、縦胴縁５３のうち墨線Ｍａの位置に固定するものの固定作業の説明図である。
【発明を実施するための形態】
【００１０】
以下、本開示の外壁構造の実施の形態を図面にしたがって説明する。
（実施の形態１）
実施の形態１の外壁構造は、図１に示すユニット建物Ｈの外壁パネルＰに適用されている。なお、ユニット建物Ｈは、複数の木質の建物ユニットＵを結合して形成された周知のものである。
【００１１】
（壁パネル）
以下に、外壁パネルＰの構造について説明する。
外壁パネルＰは、ユニット建物Ｈの外壁を形成するもので、図２の断面図に示すように、壁枠組１０と、内面材２０と、構造面材３０と、外面材４０と、胴縁５０とを備える。
【００１２】
壁枠組１０は、図６Ａに示す上枠１１と下枠１２と縦枠１３とを四角枠状に組んで形成されている。また、縦枠１３は、上下方向に延在され、図２に示すように、水平方向に所定の間隔で複数設けられている。上枠１１は、外壁パネルＰの上端部に沿って配置され、縦枠１３の上端部に結合されている。下枠１２は、外壁パネルＰの下部であって、下端よりも上方位置で下端に沿って配置され、縦枠１３の下端部に結合されている。
なお、各図において、矢印ＵＰはユニット建物Ｈの上方を示し、矢印ＤＮはユニット建物Ｈの下方を示し、矢印Ｘは水平方向であってユニット建物Ｈの図１において正面に位置する外壁に沿う方向を示す。また、外壁パネルＰにおける各方向は、ユニット建物Ｈとして組み立てられた状態での方向を示している。
【００１３】
内面材２０は、壁枠組１０の室内側（矢印ＩＮの方向側）を覆って壁枠組１０に固定されている。
構造面材３０は、壁枠組１０の屋外側（矢印ＯＵＴの方向側）を覆って壁枠組に固定されている。
胴縁５０は、詳細については後述するが、構造面材３０の屋外側を向いた面に固定されている。
外面材４０は、胴縁５０に固定されている。したがって、構造面材３０と外面材４０とは、水平方向で胴縁５０の板厚の分だけ間隔を空けて配置され、両者の間に、空気流通路６０が形成されている。
【００１４】
図１のＳ３−Ｓ３線の位置の断面である図３に示すように、外壁パネルＰは、基礎７０の上に設置された土台７１に、床パネル８０を介して支持されている。なお、床パネル８０は、詳細な図示は省略するが、床根太などからなる床枠組の上面に床面材が設けられたものである。
【００１５】
また、胴縁５０において、後述する壁下胴縁５２には、スカート部ＳＫの下端を覆うカバー部材９０が、固定され、後述する空気流通路６０への雨水の浸入を抑制している。なお、スカート部ＳＫは、外壁パネルＰの下部において、構造面材３０と外面材４０との二重構造部分の壁枠組１０よりも下方に延在された部分である。
【００１６】
（胴縁の詳細）
次に、胴縁５０について詳細に説明する。
図４は、外面材４０を取り除いた状態の外壁パネルＰを示す正面図である。
図４に示すように、胴縁５０は、壁上胴縁５１、壁下胴縁５２、縦胴縁５３を備える。
【００１７】
これらの胴縁５０（５１〜５３）は、共通の木製の角材を用いて形成されている。
壁上胴縁５１は、外壁パネルＰの構造面材３０の上縁に沿って水平方向に延在され、構造面材３０に固定されている。この壁上胴縁５１は、図示のように、複数を相互に水平方向に間隔を空けて配置され、壁上胴縁５１どうしの間の間隔部分に、上部連通路５１ｐが形成されている。
【００１８】
また、各壁上胴縁５１は、それぞれ、その中間が外壁パネルＰに沿う矢印Ｘの水平方向で、縦胴縁５３の設置位置と重なるように配置されるとともに、上部連通路５１ｐは、縦胴縁５３どうしの間に形成された空気流通路６０と重なるように配置されている。これにより、上部連通路５１ｐと空気流通路６０とが連通されている。
そして、この上部連通路５１ｐは、２階の外壁パネルＰの空気流通路６０（不図示）に連通される。
【００１９】
壁下胴縁５２は、外壁パネルＰの構造面材３０の下縁に沿って矢印Ｘの水平方向に延在され、構造面材３０に固定されている。また、壁下胴縁５２は、壁上胴縁５１と同様の寸法でありかつ同様の間隔で配置され、壁上胴縁５１と上下で対称に配置されている。よって、壁下胴縁５２どうしの間には、下部連通路５２ｐが形成され、この下部連通路５２ｐは、空気流通路６０と連通されている。この下部連通路５２ｐにより、屋外と空気流通路６０とが連通される。
【００２０】
なお、壁下胴縁５２は、図５に示すように、鋲打機（不図示）を用いステープラ１０１により構造面材３０に固定されている。また、壁上胴縁５１および縦胴縁５３については、図示は省略するが、釘を用いて構造面材３０および壁枠組１０の縦枠１３に固定されている。
【００２１】
縦胴縁５３は、上下方向に延在され、水平方向（矢印Ｘにより示す方向）に、所定の間隔Ｌを空けて設置されている。また、縦胴縁５３は、上端が壁上胴縁５１との間に間隔を空けて配置され、かつ、下端が壁下胴縁５２との間に間隔を空けて配置されている。したがって、前述したように、水平方向で縦胴縁５３どうしの間であって、室内外方向で構造面材３０と外面材４０との間に、空気流通路６０が形成されている。また、空気流通路６０どうしは、縦胴縁５３と壁上胴縁５１および壁下胴縁５２との間にそれぞれ形成された側方連通路５３ｓｐにより連通されている。
【００２２】
また、各空気流通路６０は、前述したように、下部連通路５２ｐにより屋外に連通され、上部連通路５１ｐにより２階の外壁パネルＰの空気流通路６０（不図示）に連通されている。これにより、外壁の通気性が確保される。
【００２３】
さらに、縦胴縁５３は、上下方向で上側部材５３ａと下側部材５３ｂとに分割されている。そして、上側部材５３ａの下端面と下側部材５３ｂの上端面とを突き付け合わせ、両端面どうしの間に隙間が生じないようにして固定されている。
【００２４】
ところで、木質の建物は、地上ＧＬから所定の高さＨｄまで、防腐処理が行われることが義務付けられている。
そこで、下側部材５３ｂは、その上端が高さＨｄを越えて配置されるように、その上下方向寸法が設定され、かつ、下側部材５３ｂには、防腐処理が施されている。
また、壁下胴縁５２も、防腐処理が施されている。さらに、構造面材３０において、防腐領域ＰＡには、図６Ａに示すように、透湿防水紙３１が貼り付けられている。この透湿防水紙３１は、上記高さＨｄとなる範囲に設けられている。
一方、上側部材５３ａは、その全長に亘って防腐処理は施されていない。同様に、壁上胴縁５１も、防腐処理は施されていない。
【００２５】
したがって、外壁パネルＰにあっては、板側部材５３ｂの上端よりも下方側が防腐処理を施した防腐領域ＰＡとなり、下側部材５３ｂの上端よりも上方側が防腐処理を施していない非防腐処理領域ＮＰＡとなる。
【００２６】
さらに、図５に示す外壁パネルＰには、開口部Ｗが設けられている。この開口部Ｗは、非防腐領域ＮＰＡに配置され、かつ、下端縁が防腐領域ＰＡと非防腐領域ＮＰＡとの境界の僅かに上方位置に配置されている。
【００２７】
そこで、開口部Ｗの下方に位置する縦胴縁５３の下側部材５３ｂは、上側部材５３ａに連続することなく、開口部Ｗとの間に間隔５３１を空けて配置されている。
また、上側部材としては、開口部Ｗの上下方向寸法と同寸法の全長を有し、開口部Ｗの水平方向の両端に沿って配置される開口部縁部材５３ｃ，５３ｃと、開口部Ｗの上方に配置された３本の開口部上側部材５３ｄ，５３ｄ，５３ｄとを備える。
【００２８】
なお、開口部上側部材５３ｄ，５３ｄ，５３ｄと開口部Ｗとの間には、上下方向に間隔５３２を空けて配置されている。
また、水平方向（矢印Ｘ方向）で、開口部Ｗの水平方向の両側縁の位置に配置された開口部上側部材５３ｄ，５３ｄは、Ｘ方向で開口部縁部材５３ｃ，５３ｃと同じ位置、すなわち、真上に配置されている。
【００２９】
（胴縁の取付手順）
次に、図６Ａ〜図６Ｄに基づいて外壁パネルＰにおける胴縁５０の取付手順を説明する。
図６Ａは、胴縁５０を設置する前の外壁パネルＰａにおいて墨打ち作業の説明図である。すなわち、図６Ａに示す外壁パネルＰａは、壁枠組１０に構造面材３０を固定した状態である。また、構造面材３０の下部には、透湿防水紙３１が貼付されている。なお、このとき、内面材２０は、取り付けていてもよいし、取り付け無くてもよい。
【００３０】
そして、まず、構造面材３０の表面において、所定の縦胴縁５３を固定する位置に沿って線状の印（墨線Ｍａ）を付ける墨打ち作業を行う。なお、この墨打ち作業は、周知の墨つぼ２００を用いて行う。また、墨線Ｍａは、全ての縦胴縁５３を取り付ける位置ではなくてもよく、例えば、図示のように、外壁パネルＰａの端縁部から所定の間隔Ｌ５３の１箇所としてもよい。
【００３１】
次に、外壁パネルＰａに胴縁５０を固定する。なお、この胴縁５０を固定する作業の前に、壁下胴縁５２および縦胴縁５３の下側部材５３ｂには、防腐処理を施す。この場合、壁下胴縁５２と縦胴縁５３とのいずれも、全長に亘って防腐処理を施すため、ドブ漬や全面塗布など簡易な防腐処理を行うことができる。また、下側部材５３ｂは、縦胴縁５３の全長と比較して大幅に短いものであり、縦胴縁５３の全長に亘って防腐処理を行う場合と比較して、簡易な設備で防腐処理を行うことができる。同様に、壁下胴縁５２も、１本１本が短く、簡易な設備で防腐処理を行うことができる。
【００３２】
そして、胴縁５０を取り付けるにあたり、まず、図６Ｂに示すように、胴縁５０のうち、外壁パネルＰａの端縁部に配置されるものを固定する固定する。この図示の例では、壁上胴縁５１と壁下胴縁５２とに加え、外壁パネルＰａの一端に沿って縦胴縁５３を固定する。なお、この固定の際に、壁枠組１０と室内外方向に重なる位置の壁上胴縁５１と縦胴縁５３は、釘により固定する。また、壁枠組１０とは室内外方向に重ならないスカート部ＳＫに固定する壁下胴縁５２は、ステープラ１０１により固定する。
【００３３】
次に、図６Ｃに示すように、他の縦胴縁５３の固定を行う。
この場合、それぞれ一対の端縁胴縁脇治具Ｇ１、Ｇ１と胴縁間治具Ｇ２、Ｇ２とを用いて、固定対象の縦胴縁５３の水平方向（矢印Ｘ方向）の位置決めを行う。端縁胴縁脇治具Ｇ１、Ｇ１は、外壁パネルＰａの端縁に固定された縦胴縁５３と、その隣に固定する縦胴縁５３との間隔を所定間隔として、固定対象の縦胴縁５３の位置決めを行う。また、胴縁間治具Ｇ２、Ｇ２は、縦胴縁５３，５３の間の間隔を所定間隔として、固定対象の縦胴縁５３の位置決めを行う。
【００３４】
なお、縦胴縁５３の固定にあたり、上側部材５３ａと下側部材５３ｂとは、それぞれ独立して固定するものであり、その際、両部材５３ａ，５３ｂの突き付ける端面どうしの間には、隙間が生じないようにする。
【００３５】
また、図６Ｄに示すように、前述の墨線Ｍａを設けた箇所では、縦胴縁５３を、墨線Ｍａを基準に固定する。
以上により、胴縁５０の固定作業を完了する。
その後、胴縁５０に外面材４０を固定する。
【００３６】
（実施の形態１の効果）
(1)実施の形態１の外壁構造は、
ユニット建物Ｈの外壁の外面を形成する外面材４０と、その内側に配置された構造面材３０との間に胴縁５０が介在されて、外面材４０と構造面材３０との間に空気流通路６０が形成され、
胴縁５０は、上下方向に延在され、水平方向に間隔Ｌを空けて配置された複数の縦胴縁５３を備え、空気流通路６０が、縦胴縁５３に沿って上下方向に延在された外壁構造であって、
縦胴縁５３が、上側部材５３ａと下側部材５３ｂとに上下に分割され、かつ、上側部材５３ａに防腐処理が施されることなく下側部材５３ｂに防腐処理が施されている。
したがって、縦胴縁５３の全長に亘って防腐処理を行うものと比較して、上側部材５３ａの分だけ、防腐剤の使用料を軽減しコスト低減を図ることができ、かつ、その作業も容易となるとともに、設備の簡易化も図ることができる。また、下側部材５３ｂについては、その全体に防腐処理を施すため、下側部材５３ｂの一部や縦胴縁５３の一部に防腐処理を施す場合と比較して、作業が容易である。
【００３７】
(2)実施の形態１の外壁構造は、
縦胴縁５３は、ユニット建物Ｈの地上から所定の高さの範囲内に設定された防腐領域ＰＡと、所定の高さ以上に設定された非防腐領域ＮＰＡとに跨って設けられ、
下側部材５３ｂは、防腐領域ＰＡ内に設けられ、上側部材５３ａは、非防腐領域ＮＰＡに設けられている。
したがって、上側部材５３ａには防腐処理を施すことなく、下側部材５３ｂに防腐処理を施しながらも、防腐領域ＰＡ内における防腐性能は確実に得ることができる。
【００３８】
(3)実施の形態１の外壁構造は、
胴縁５０は、構造面材３０の下縁に沿って配置された壁下胴縁５２を備え、
壁下胴縁５２は、縦胴縁５３と共通の部材により形成されているとともに、防腐処理が施されている。
したがって、特許文献１に記載の従来技術のように、壁下胴縁として壁上胴縁５１や縦胴縁５３と異なる部材を用いるものと比較して、使用する材料の種類を減らしてコスト低減を図ることができる。
ここで説明を加えると、特許文献１に記載の従来技術では、壁下胴縁として、角材である縦胴縁５３とは異なり断面積がより大きな板状のものを用いており、壁下胴縁それ自体のコストが高くなる。
加えて、実施の形態１の壁下胴縁５２は、従来技術の壁下胴縁と比較して、幅の狭い角材を用いているため、防腐処理に使用する防腐剤の量を減らすことができ、これによってもコスト低減を図ることができる。
【００３９】
(4)実施の形態１の外壁構造は、
外壁は、外壁パネルＰにより形成され、
外壁パネルＰは、枠構造の壁枠組１０に構造面材３０が固定され、構造面材３０に胴縁５０が固定され、胴縁５０に外面材４０が固定されて形成されている。
したがって、外壁パネルＰにより空気流通路６０を有した二重構造の外壁を形成でき、ユニット建物Ｈを構成する建物ユニットＵに適用するのに好適である。
【００４０】
以上、本開示にかかる実施の形態の外壁構造を図面により詳述したが、本発明の具体的な構成はこの実施の形態に限られるものではなく、本発明の要旨を逸脱しない範囲の設計の変更等があっても本発明に含まれる。
【００４１】
例えば、本実施の形態では、ユニット建物の外壁に適用した例を示したが、ユニット建物以外の木質の建物にも適用することができる。
【符号の説明】
【００４２】
１０   壁枠組
３０   構造面材
４０   外面材
５０   胴縁
５２   壁下胴縁
５３   縦胴縁
５３ａ 上側部材
５３ｂ 下側部材
５３ｃ 開口部縁部材（上側部材）
５３ｄ 開口部上側部材（上側部材）
６０   空気流通路
Ｈ     ユニット建物（建物）
Ｌ     間隔
ＮＰＡ 非防腐領域
Ｐ     壁パネル
ＰＡ   防腐領域
【図１】
2019183508.tif 000003
【図２】
2019183508.tif 000004
【図３】
2019183508.tif 000005
【図４】
2019183508.tif 000006
【図５】
2019183508.tif 000007
【図６Ａ】
2019183508.tif 000008
【図６Ｂ】
2019183508.tif 000009
【図６Ｃ】
2019183508.tif 000010
【図６Ｄ】
2019183508.tif 000011